(57)【要約】【課題】コンパクトで、かつ、電子回路基板を短絡させることのない排水構造を有する電子機器用台座を提供する。【解決手段】筐体１の内に配置される電子回路基板２とにより構成され、電子回路基板２と保持凹部３の間には、保持凹部３から落下した水を筐体１の外に排水するための排水案内板７が設けられている。排水案内板７は、第２通水孔８を下流側のほぼ中央に設けており、この第２通水孔８は排水案内板７の裏側に突出して設けられた筒状の排水管９に連結している。電子回路基板２には、排水管９が貫通して排水孔１０と連結するための貫通孔１３が形成されており、排水管９は貫通孔１３を貫通して筐体１の下蓋１ｂに形成された排水孔１０に連通している。【選択図】図２
2006139982.tif 000002
【特許請求の範囲】
【請求項１】
電子機器を保持凹部に保持する電子機器用台座であって、
底部には排水孔が設けられ、
内部には、電子回路基板と、前記保持凹部から落下する水を、前記電子回路基板を貫通させて前記排水孔に案内する排水案内板とが配置されたことを特徴とする電子機器用台座。
【請求項２】
前記保持凹部の底面と前記排水案内板は、水平面に対して傾斜角を有することを特徴とする請求項１記載の電子機器用台座。
【請求項３】
前記保持凹部の底面は、第１通水孔と、前記電子機器用の充電端子を保持凹部内に突出させるための開口部とが設けられるとともに、前記開口部を上流側とし、前記第１通水孔を下流側として傾斜し、
前記排水案内板には、前記排水孔に連通して水を排水するための第２通水孔が下流側に設けられ、前記排水案内板は前記保持凹部の底面の傾斜とは逆向きに傾斜したことを特徴とする請求項２記載の電子機器用台座。
【請求項４】
前記排水案内板には、前記水が流れる方向に沿って少なくとも両側に、前記水が側方へ流れ出すのを堰き止める遮蔽部が設けられたことを特徴とする請求項１から３のいずれかの項に記載の電子機器用台座。
【請求項５】
前記遮蔽部は、前記排水案内板に設けられた側板であることを特徴とする請求項４記載の電子機器用台座。
【請求項６】
前記遮蔽部は、前記排水案内板に離間して設けられた２枚の側板であり、
前記２枚の側板と、前記保持凹部の底面の裏面に設けられた吊下板とで互いに遊嵌してラビリンス結合していることを特徴とする請求項４記載の電子機器用台座。
【発明の詳細な説明】
【技術分野】
【０００１】
本発明は、電子機器を保持する電子機器用台座に係り、より詳しくは排水機能を有する電子機器用台座に関する。
【背景技術】
【０００２】
電気かみそりや電気歯ブラシなど、水を扱う環境下で使用することを目的とした電子機器は生活防水機能を備えている。この機能により、洗面所や風呂場において、直接濡れた手で触ったり、水洗いをしたりすることができる。
【０００３】
電子機器側に防水機能がついたことにより、濡れた手で電子機器を触っても電子機器内部に水が侵入しないため、電子機器が故障することはない。しかし、このような水で濡れた電子機器を充電台にそのまま載置してしまうと、電子機器についた水は充電端子の隙間などから充電台内部に侵入する。これにより、充電台内部の電子回路基板は短絡し、充電器が故障してしまう。そこで、充電台側にも防水機能が必要となる。
【０００４】
この問題に対処した充電器が特許文献１に記載されている。例えば図１０に示すように、充電器は、電子機器を収納する上ケース３１と下ケース３２と、下ケース３２内に収容される充電回路基板３３と、充電回路基板３３が装着される端子台３４とで構成されている。端子台３４は略門型に形成され、脚部３４ａの内側に係合部３４ｂを形成し、この係合部３４ｂに充電回路基板３３が引っ掛け係合されている。また、端子台３４の上部に溝状棚部３５を形成して、この溝状棚部３５の底部に充電回路基板３３に接続する充電用端子３６を設け、上ケース３１の電子機器受け台に設けた端子挿通孔３７より突出させている。さらに、溝状棚部３５の底部の最下位部位に水抜き穴３８を設け、また、下ケース３２の底壁には、下ケース３２内に導かれた水を排水するための排水口３９を形成している。この構成により、端子挿通孔３７より侵入した水は溝状棚部３５の水抜き穴３８を通り、下ケース３２に設けられた排水口３９よりケースの外に排水される。
【特許文献１】特開２００３−８７９８１号公報
【発明の開示】
【発明が解決しようとする課題】
【０００５】
しかしながら、特許文献１に記載のような充電器では、電子回路基板の短絡を防ぐために電子回路基板を回避させて水を排水するので、充電器内部に電子回路基板よりも大きな排水構造を形成しなければならないため、装置を小型化することが難しい。
【０００６】
また、他の排水構造として、電子回路基板の端部などに排水用の孔を設け、この孔から直接水を落下させて排水する構造も考えられるが、孔を設ける位置が制限されるだけでなく、水の量が多い場合や、水の流れ方によっては電子回路基板に水が流れ込み、電子回路基板を短絡させてしまう。
【０００７】
そこで、本発明は、コンパクトで、かつ、電子回路基板を短絡させることのない排水構造を有する電子機器用台座を提供することを目的とする。
【課題を解決するための手段】
【０００８】
本発明の電子機器用台座は、電子機器を保持凹部に保持する電子機器用台座であって、底部には排水孔が設けられ、内部には、電子回路基板と、前記保持凹部から落下する水を、前記電子回路基板を貫通させて前記排水孔に案内する排水案内板とが配置されたことを特徴とする。
【発明の効果】
【０００９】
本発明の電子機器用台座によれば、排水案内板は保持凹部から落下する水を受け止めて、電子回路基板を貫通させて排水孔に案内するので、電子回路基板を回避せずに電子機器用台座の外に排水することができる。従って、コンパクトで、かつ、電子回路基板を短絡させることのない排水構造を持つ電子機器用台座とすることができる。
【発明を実施するための最良の形態】
【００１０】
本願の第１の発明は、電子機器を保持凹部に保持する電子機器用台座であって、底部には排水孔が設けられ、内部には、電子回路基板と、保持凹部から落下する水を、電子回路基板を貫通させて排水孔に案内する排水案内板とが配置されたことを特徴とする。
【００１１】
排水案内板は保持凹部から落下した水を受け止めて、電子機器用台座の底部に設けられた排水孔へ電子回路基板を貫通させて案内するので、電子回路基板を回避せずに電子機器用台座の外に排水することができる。また、この排水案内板により、保持凹部から落下する水は排水案内板に案内されて電子回路基板へと侵入することなく電子機器用台座の外に排水される。よって、電子回路基板が短絡することを防ぐことができる。
【００１２】
本願の第２の発明は、本願の第１の発明において、保持凹部の底面と排水案内板は、水平面に対して傾斜角を有することを特徴とする。
【００１３】
保持凹部の底面および排水案内板は水平面に対して傾斜していることにより、水は留まることなく下流側へと流れるので、保持凹部内に流れ込んだ水を確実に排水案内板へと落下させ、排水案内板へと落下した水を確実に排水孔から電子機器用台座の外に排水することができる。
【００１４】
本願の第３の発明は、保持凹部の底面には、第１通水孔と、電子機器用の充電端子を保持凹部内に突出させるための開口部とが設けられるとともに、開口部を上流側とし、第１通水孔を下流側として傾斜し、排水案内板には、排水孔に連通して水を排水するための第２通水孔が下流側に設けられ、排水案内板は保持凹部の底面の傾斜とは逆向きに傾斜したことを特徴とする。
【００１５】
保持凹部の底面は、第１通水孔を下流側として傾斜しているので、保持凹部内に溜まった水の大部分が第１通水孔から排水案内板へと流れ落ちる。よって、充電端子がサビたり故障したりするのを防ぐことができる。また、保持凹部の底面と排水案内板とはそれぞれ逆向きに傾斜しており、保持凹部の底面の下流側と排水案内板の上流側は近接し、隙間がせまくなっているので、保持凹部の底面の第１通水孔や開口部から流れ落ちた水が排水案内板に跳ね返って排水案内板の上流側から電子回路基板へと漏れ出すことを防ぐことができる。これにより、電子回路基板の短絡を確実に防ぐことができる。また、保持凹部の底面と排水案内板とはそれぞれ逆向きに傾斜しているので、同じ向きに傾斜する場合よりも、より小さい空間で保持凹部にたまった水を電子機器用台座の外に確実に排水することができ、無駄な空間を省いたコンパクトな排水構造を有する電子機器用台座とすることができる。なお、保持凹部の底面の下流側と排水案内板の上流側はできるだけ近接させ間隔を狭くした方が望ましい。
【００１６】
また、電子機器を充電する際、充電端子が設けられた保持凹部の直下にあたる部分には発熱する電子部品が多数搭載されているため電子回路基板は高温となる。しかし、排水案内板を設けたことにより、電子回路基板と保持凹部との間には空間ができるので、この空間にある空気がこの熱の伝達を遮断する層となる。従って、電子回路基板で発生した熱が保持凹部や電子機器へ伝わりにくくなり、電子機器が高温となって使用者に不快感を与え
たり、やけどを負わせてしまったりすることを防ぐことができる。
【００１７】
本願の第４の発明は、排水案内板には、水が流れる方向に沿って少なくとも両側に、水が側方へ流れ出すのを堰き止める遮蔽部が設けられたことを特徴とする。
【００１８】
保持凹部の底面から排水案内板に流れ落ちた水が排水案内板の下流側に向かって流れる際、この遮蔽部によって、水の側方への流出が堰き止められる。よって、電子回路基板へ水が漏れ落ちることがないので、電子回路基板の短絡を防ぐことができる。
【００１９】
本願の第５の発明は、遮蔽部は排水案内板に設けられた側板としたことにより、保持凹部の底面から排水案内板に流れ落ちた水が排水案内板の下流側に向かって流れる際、この側板によって、水の側方への流出が堰き止められる。よって、電子回路基板へ水が漏れ落ちることがないので、電子回路基板の短絡を防ぐことができる。なお、この遮蔽板と排水案内板がなす角度は９０度程度が最も望ましいが、これに限らず水の側方への流出が堰き止められれば何度であってもよい。
【００２０】
本願の第６の発明は、遮蔽部は、排水案内板に離間して設けられた２枚の側板であり、２枚の側板と、一保持凹部の底面の裏面に設けられた吊下板とで互いに遊嵌してラビリンス結合している構成とした。
【００２１】
保持凹部の底面から排水案内板に流れ落ちた水が排水案内板の下流側に向かって流れる際、このラビリンス結合によって、水の側方への流出を確実に堰き止めることができる。よって、電子回路基板へ水が漏れ落ちることがないので、電子回路基板の短絡を防ぐことができる。
【００２２】
また、遮蔽部が２枚の側板と吊下板とにより互いに遊嵌してラビリンス結合していることにより、充電の際に高温となった電子回路基板からの熱は、ラビリンス結合にできた空間に存在する空気により、熱の伝達が遮断される。従って、電子回路基板で発生した熱が保持凹部や電子機器へ伝わりにくくなり、電子機器が高温となって使用者に不快感を与えたり、やけどを負わせてしまったりすることを防ぐことができる。
【００２３】
（実施の形態）
以下、図を用いて本発明の実施の形態の一例であるコードレス電話機について説明する。図１（ａ）はコードレス電話機の正面側を示す斜視図、（ｂ）は同コードレス電話機の背面側を示す斜視図である。図２は図１（ａ）のＡ−Ａ線断面図である。図３は排水案内板の斜視図である。
【００２４】
図１および図２に示すように、本実施の形態の一例であるコードレス電話機は、電話機（図示しない）と電話機を保持する台座としての筐体１と、この筐体１の内に配置される電子回路基板２とにより構成される。
【００２５】
筐体１は、上蓋１ａおよび下蓋１ｂにより構成されている。上蓋１ａの表面には、電話機を保持するための保持凹部３が設けられている。また、コードレス電話機の底部となる下蓋１ｂには水を筐体１の外に排水するための排水孔１０が設けられている。
【００２６】
電子回路基板２には、後述する排水管９が貫通して排水孔１０と連結するための貫通孔１３が形成されている。
【００２７】
保持凹部３には電話機を保持するために、電話機の底部に合わせた形状を有している。保持凹部３の底面には、充電端子４を保持凹部３内に突出させるための開口部５と、第１
通水孔６とが設けられている。そして、この保持凹部３の底面は、開口部５を上流側とし、第１通水孔６を下流側として傾斜している。また、保持凹部３の底面の裏側には、第１通水孔６から開口部５側に向けてハの字状に形成された吊下板１１（図４参照）が略垂直に突出して形成されている。この吊下板１１は第１通水孔６側に向かって板の高さが減少するように形成されている。
【００２８】
図２に示すように、電子回路基板２と保持凹部３との間には、保持凹部３から落下した水を受け止めて下蓋１ｂの排水孔１０に案内する排水案内板７が設けられている。
【００２９】
図３に示すように、排水案内板７は略矩形の板状体であり、排水案内板７の上流側となる位置に水が流れる方向に沿って両側に遮蔽部が設けられている。この遮蔽部は、略垂直に突出させた内側側板７ａおよび外側側板７ｂとにより構成されている。また、排水案内板７には、排水案内板７を保持凹部３に連結するための連結用孔７ｃと、山状の案内板７ｄと、排水案内板７の下流側となる位置に第２通水孔８とが設けられている。
【００３０】
内側側板７ａおよび外側側板７ｂは、それぞれハの字状に、かつ、並列に形成されている。また、内側側板７ａと外側側板７ｂとの間には隙間７ｅが形成され、保持凹部３の裏側に形成された吊下板１１と嵌合できる程度の間隔を有している。また、内側側板７ａおよび外側側板７ｂの板の高さはその上流側に向かって減少するように形成されている。
【００３１】
排水案内板７のほぼ中央部には、上流側に凸部を向けた山型の案内板７ｄが２箇所設けられている。この案内板７ｄは、第２通水孔８に一度に水が流れ込むのを防ぎ、水の流れを回避させて緩やかに第２通水孔８に導くことができる。
【００３２】
第２通水孔８は下流側のほぼ中央部に設けられている。図２に示すように、第２通水孔８は、排水案内板７の裏側に突出して設けられ、筐体１の下蓋１ｂに形成された排水孔１０と連通可能な長さをもつ筒状の排水管９に連結している。
【００３３】
次に、本実施の形態のコードレス電話機の構造をコードレス電話機の組み立て方法に基づいて説明する。図４は排水案内板を保持凹部に取り付ける様子を示す斜視図である。図５は排水案内板を保持凹部に取り付けた状態を示す斜視図である。図６は電子回路基板を取り付けた状態を示す斜視図である。図７は下蓋１ｂを取り付ける様子を示す斜視図である。図８は下蓋１ｂを取り付けた状態を示す斜視図である。図９は図５のＢ−Ｂ線断面図である。
【００３４】
図４および図５に示すように、まず、充電端子４を保持凹部３に設けられた開口部５に取り付ける。そして、保持凹部３の裏側に形成された吊下板１１が排水案内板７に形成された内側側板７ａおよび外側側板７ｂとの間の隙間７ｅに収まるように排水案内板７を保持凹部３の裏側に取り付ける。そして、ビス１２を２箇所の連結用孔７ｃにそれぞれ通して螺合させ、排水案内板７を保持凹部３の裏側に固定する。
【００３５】
次に、図６に示すように、排水案内板７の排水管９が電子回路基板２に形成された貫通孔１３を貫通するように電子回路基板２を取り付ける。そして、図７および図８に示すように、排水孔１０が電子回路基板２の貫通孔１３から突出した排水管９と連通するように下蓋１ｂを取り付け、ビス１２を用いて固定する。
【００３６】
図２に示すように、本実施の形態のコードレス電話機は、保持凹部３の真下には排水案内板７が設けられ、保持凹部３の底面と排水案内板７とは互いに逆向きに傾斜し、保持凹部３の底面の下流側と排水案内板７の上流側とは近接した状態で断面くの字状に固定されている。保持凹部３の底面の下流側と排水案内板７の上流側とは近接し、間隔がせまくな
っていることにより、第１通水孔６から流れ落ちた水が排水案内板７に跳ね返って排水案内板７の上流側から電子回路基板２へと漏れ出すことを防ぐことができる。また、排水案内板７は、第１通水孔６からだけでなく開口部５から流れ落ちた水も受け止めることができる。
【００３７】
また、排水案内板７の排水管９は、電子回路基板２に形成された貫通孔１３を貫通して下蓋１ｂの排水孔１０と連結している。この構成により、保持凹部３の底面から流れ落ちた水は、排水案内板７の第２通水孔８に案内され、排水管９から排水孔１０を通って、筐体１の外に排水される。従って、電子回路基板２を回避させて水を排水させる構成よりもコンパクトで、かつ、電子回路基板２を短絡させることのない排水構造とすることができる。
【００３８】
また、図９に示すように、保持凹部３の底面の吊下板１１が排水案内板７の内側側板７ａおよび外側側板７ｂの隙間７ｅに収まるように排水案内板７を取り付けたことによって、吊下板１１と内側側板７ａと外側側板７ｂとがラビリンス結合する。このように、凹凸を噛み合わせたようなラビリンス結合により水の侵入経路を長くすることができる。従って、大量の水が保持凹部３の底面から排水案内板７へ流れ落ち、水が排水案内板の内側の側板７ａを越えたとしても、外側側板７ｂによって水は堰き止められる。また、水滴が流れ落ちて排水案内板７上で跳ね返っても、ラビリンス結合により側方への水滴の飛び出しを防ぐことができる。従って、排水案内板７の両側から電子回路基板２へと漏れ落ちることを２重に防ぐことができる。
【００３９】
なお、内側側板７ａ、外側側板７ｂおよび吊下板１１のそれぞれの板の高さが、保持凹部３の底面と排水案内板７とが近接している方向に向かって減少するように形成されているので、保持凹部３の底面と排水案内板７との間隔に関わらず、排水案内板７の両側でラビリンス結合を保つことができる。
【００４０】
また、排水案内板７を保持凹部３と電子回路基板２との間に設け、吊下板１１と内側側板７ａと外側側板７ｂとによりラビリンス結合していることにより、電子回路基板２と保持凹部３との間には空間ができるので、この空間にある空気がこの熱の伝達を遮断する層となる。また、電子回路基板２は排水案内板７と貫通孔１３でしか接触しておらず、排水案内板７も連結用孔７ｃの２箇所でしか保持凹部３に接触していない。従って、電子回路基板２で発生した熱が排水案内板７や保持凹部３、さらには保持凹部３に保持されている電話機へ伝わりにくくなり、電話機が高温となって使用者に不快感を与えたり、やけどを負わせてしまったりすることを防ぐことができる。
【００４１】
最後に、電話機から保持凹部３内に溜まった水が排水されるまでの様子を簡単に説明する。電話機についた水は電話機を伝って保持凹部３内に溜まる。保持凹部３の底面は傾斜しているので、保持凹部３内に溜まった水の大部分が第１通水孔６から排水案内板７へと流れ落ちる。そして、この水は排水案内板７の第２通水孔８側へと流れる。排水案内板７の両側へと流れる水は内側側板７ａにより堰き止められ、ハの字状の内側側板７ａに沿って第２通水孔８側へと流れる。また、排水案内板７の中央を下流側へと流れる水は案内板７ｄにより水の流れを回避させて緩やかに第２通水孔８へと導かれる。そして、この水は第２通水孔８から排水管９を通り、排水管９が連結した下蓋１ｂの排水孔１０へと流れ落ち筐体１の外側へ排水される。このようにして、電話機を伝って流れ落ちた水は電子回路基板２へと漏れ落ちたり侵入したりすることなくコードレス電話機の外側へ排水される。
【００４２】
なお、本実施の形態では、排水案内板７の内側側板７ａおよび外側側板７ｂは、排水案内板７の上流側となる位置に水が流れる方向に沿って両側にハの字状に形成したが、これに限らず、排水案内板７の周縁部に全周にわたって設けてもよい。この場合、排水案内板
からの電子回路基板への水の漏れ落ちを確実に防ぐことができる。このような場合は、吊下板１１も内側側板７ａおよび外側側板７ｂの形状に合わせて形成する。
【００４３】
また、本実施の形態では、保持凹部３の底面と排水案内板７とは逆向きに傾斜した構成であったが、これに限らず、保持凹部３の底面と排水案内板７とを同じ向きに傾斜させてもよい。また、保持凹部３の底面と排水案内板７との水平面に対する傾斜角は、同じであっても異なっていてもよい。
【産業上の利用可能性】
【００４４】
本発明は、コンパクトで、かつ、電子回路基板を短絡させることのない排水構造を有するので、生活防水機能を有する電子機器の台座に有用である。
【図面の簡単な説明】
【００４５】
【図１】（ａ）コードレス電話機の正面側を示す斜視図、（ｂ）同コードレス電話機の背面側を示す斜視図
【図２】図１（ａ）のＡ−Ａ線断面図
【図３】排水案内板の斜視図
【図４】排水案内板を保持凹部に取り付ける様子を示す斜視図
【図５】排水案内板を保持凹部に取り付けた状態を示す斜視図
【図６】電子回路基板を取り付けた状態を示す斜視図
【図７】下蓋を取り付ける様子を示す斜視図
【図８】下蓋を取り付けた状態を示す斜視図
【図９】図５のＢ−Ｂ線断面図
【図１０】（ａ）従来の充電器の分解斜視図、（ｂ）従来の充電器の断面図
【符号の説明】
【００４６】
１    筐体
１ａ    上蓋
１ｂ    下蓋
２    電子回路基板
３    保持凹部
４    充電端子
５    開口部
６    第１通水孔
７    排水案内板
７ａ    内側側板
７ｂ    外側側板
７ｃ    連結用孔
７ｄ    案内板
７ｅ    隙間
８    第２通水孔
９    排水管
１０    排水孔
１１    吊下板
１２    ビス
１３    貫通孔
【図１】
2006139982.tif 000003
【図２】
2006139982.tif 000004
【図３】
2006139982.tif 000005
【図４】
2006139982.tif 000006
【図５】
2006139982.tif 000007
【図６】
2006139982.tif 000008
【図７】
2006139982.tif 000009
【図８】
2006139982.tif 000010
【図９】
2006139982.tif 000011
【図１０】
2006139982.tif 000012